(57)【要約】【課題】瓦の表面が単純な構造をしているにも拘わらず、暴風雨を受けたとき、前記外側水返しのコーナー部に雨水が浸入するのを抑制可能にする瓦を提供する。【解決手段】筋葺きされる波形状に湾曲した第一瓦１、２の尻部Ｂから差込部Ｄにかけて鈎状に設けられている外側水返し１１の内側に内側縦水返し２１を設けて、前記外側水返しを構成する差込部水返し１１ａと略平行に配置する。そして、その内側縦水返しの上端部２１ａを第一瓦の上段に位置する第二瓦２と重なる位置まで延設するとともに、第二瓦の差込部側頭部の裏面に形成した凹部１６に嵌合できるようにする。すると、内側縦水返しと凹部は、暴風雨時に第一瓦に葺き付けた雨水を外側水返しのコーナー部Ｆに寄せ付けない防波堤の作用をする。【選択図】図８
2006063708.tif 000002
【特許請求の範囲】
【請求項１】
筋葺きされる波形状に湾曲した第一瓦（１、２）の尻部（Ｂ）から差込部（Ｄ）にかけて鈎状に設けられている外側水返し（１１）の内側に、該外側水返しを構成する差込部水返し（１１ａ）と略平行に内側縦水返し（２１）を設けて、その内側縦水返しの上端部（２１ａ）を前記第一瓦の上段に位置する第二瓦（２）と重なる位置まで延設するとともに、前記上端部を第二瓦の差込部側頭部の裏面に形成した凹部（１６）に嵌合可能にしたことを特徴とする筋葺き防災瓦。
【請求項２】
筋葺きされる波形状に湾曲した第一瓦（１、２）の尻部（Ｂ）から差込部（Ｄ）にかけて鈎状に設けられている外側水返し（１１）の内側に、該外側水返しを構成する差込部水返し（１１ａ）と略平行に内側縦水返し（２１）を設けて、その内側縦水返しの上端部（２１ａ）を前記第一瓦の上段に位置する第二瓦（２）と重なる位置まで延設するとともに、前記上端部を第二瓦の差込部側頭部の裏面に形成した凹部（１６）に嵌合可能にし、さらに前記外側水返し（１１）の内側に、該外側水返しを構成する尻部水返し（１１ｂ）と略平行に内側横水返し（２２）を設けたことを特徴とする筋葺き防災瓦。
【発明の詳細な説明】
【技術分野】
【０００１】
本発明は、建物の傾斜した屋根の野地板に筋葺きされる瓦、特に筋葺き防災瓦に関するものである。
【背景技術】
【０００２】
従来から、図９に示すような波形状に湾曲した構造の筋葺き瓦は周知である（特開２０００−２７５３１３号公報）。すなわち、上面が略正方形をなすとともに横断面が波形状に湾曲した瓦であって、その尻部Ｂから差込部Ｄにかけて鈎状に外側水返し１１が設けられている筋葺き防災瓦１は周知である。このような構造・形状を有する筋葺き防災瓦（以下、単に瓦叉は第一瓦という）１を建物の傾斜した屋根の野地板上に葺く場合、図１０に示すように、傾斜している第一瓦１の尻部Ｂの上に前記同様の形状・構造を有する第二瓦２の頭部Ａを重ねて、建物の軒先部から棟部（いずれも図示なし）に向かって、いわゆる筋葺きする。
【０００３】
同様に第一瓦１が葺かれている高さレベルにおいて第一瓦１に隣接して前記同様の形状・構造を有する第三瓦３を葺くときは、その第三瓦３の桟部Ｃが第一瓦１の差込部Ｄを被覆するように並べて葺き、第三瓦３の上に前記同様に構造・形状を有する第四瓦（図示なし）を筋葺きする。
【０００４】
この種の瓦１はこれまで主として日本の木造建築の屋根に広く有用されてきたが、近年、その性能の完全さが要求されるに至り、暴風雨時に瓦同士の重なり部分、特に、第二瓦２の頭部Ａと第三瓦３の桟部Ｃのそれぞれにおける二つの端面が第一瓦１上で交差して形成される直角面壁部Ｘに風雨が吹き付けられたとき、雨水が第一瓦１と第二瓦２との間叉は第一瓦１と第三瓦３との間から第一瓦１のコーナー部Ｆに流れ込むという問題がある。
【０００５】
そこで、この問題を解決するために、図１１に示す構造の筋葺きされる瓦１が提案されている（特開２０００−２７３５７号公報）。すなわち、筋葺きされる波形状に湾曲した瓦１の尻部Ｂから差込部Ｄにかけて鈎状に設けられている外側水返し１１が設けられているとともに、その内側に、該外側水返し１１のうち、尻部Ｂ側の尻部水返し１１ｂと略平行に横突条１０ａが、そして差込部Ｄ側の差込部水返し１１ａと略平行に２本の第一縦突条１０ｂ及び第二縦突条１０ｃがそれぞれ設けられている。さらに前記外側水返し１１の内側には上方からの投影形が鈎状のコーナー水返し１０ｄが設けられている。
【特許文献１】特開２０００−２７５３１３号公報
【特許文献２】特開２０００−０２７３５７号公報
【発明の開示】
【発明が解決しようとする課題】
【０００６】
ところが、この構造の瓦１においては、その表面に前記コーナー水返し１０ｃを形成しなければならいという問題と第一、第二縦突条１０ａ、１０ｂを設けなければならないという問題がある。これらの問題は、瓦の製造過程を複雑にし、形状不良、亀裂、及び欠けが発生し易いだけでなく、瓦を複数枚ずつ積み重ねて出荷するときの荷姿が不安定になり、荷崩れや欠けの問題が生じる。
【０００７】
そこで、本発明者は、前記瓦の表面が単純な構造をしているにも拘わらず、暴風雨を受けたとき、前記外側水返しのコーナー部に雨水が押し寄せるのを抑制できる構造の筋葺き防災瓦を提案すべく、鋭意、検討したところ、前記外側水返しのうち、差込部側に前記縦突条に相当する内側水返しを１本だけ設けて、その上端部を尻側の上段に葺かれる瓦の差込部と特定の関係をもって接合すればよいという事実を見出した。従って、本発明の課題は、瓦の表面が単純な構造をしているにも拘わらず、暴風雨を受けたとき、前記外側水返しのコーナー部に雨水が浸入するのを抑制できる構造の瓦を提供することにある。
【課題を解決するための手段】
【０００８】
本発明は前記の課題を解決するために、筋葺きされる波形状に湾曲した第一瓦の尻部から差込部にかけて略鈎状に設けられている外側水返しの内側に、該外側水返しを構成する差込部水返しと略平行に内側縦水返しを設けて、その内側縦水返しの上端部を前記第一瓦の上段に位置する第二瓦に重なる位置まで延設するとともに、前記上端部を第二瓦の差込部側頭部の裏面に形成した凹部に接合可能にするという手段を採用する。
【０００９】
この手段を採用することにより、暴風雨時に第一瓦上に吹き付けられた雨水が、第一瓦の差込部側から第一瓦の外側水返しのコーナー部に向かって浸入しようとしても、前記第一瓦の内側縦水返しと第二瓦の差込部側頭部との協働作用により雨水の侵入は阻止される。
【００１０】
本発明はさらに上記手段に加えて、前記外側水返しの内側に、該外側水返しを構成する尻部水返しと略平行に内側横水返しを設けるという手段を採用する。この手段を採用することにより、暴風雨時に第一瓦上に吹き付けられた雨水が、第一瓦の尻部において第一瓦の外側水返しの尻部水返しに向かって浸入しようとしても、前記内側横水返しにより雨水の浸入は阻止される。その結果、外側水返しのコーナー部まで浸入してゆく雨水は抑制され、仮に雨水が前記コーナー部に浸入してゆくとしても、それは前記内側縦水返しの先端と前記外側水返しの尻部水返しとの間を通過しなければならず、そこで流水抵抗が増大して、浸水が著しく抑制される。
【発明の効果】
【００１１】
本発明は上述した構成を採用することにより、筋葺き防災瓦の表面が従来技術と比較して著しく単純な構造になり、しかもその瓦は、単純な構造をしているにも拘わらず、暴風雨を受けたとき、瓦の外側水返しのコーナー部に雨水が浸入するのを抑制できるという優れた効果を発揮する
【発明を実施するための最良の形態】
【００１２】
次に図面を参照しながら、本発明を実施するための最良の形態について詳述する。図１〜図５に示すように、本発明に係る筋葺き防災瓦（第一瓦）１は、基本的には周知の筋葺き瓦と同様に、略正方形をなす上面と波形状をなす断面を有する陶器製の筋葺き瓦であり、一対の対角部には、そこを通る対角線方向に葺かれる瓦同士が当接する、略方形の第一、第二切欠き部１２、１３が形成されている。
【００１３】
さらに第一瓦１の表側においてその尻部Ｂから差込部Ｄにかけて、平面が略鈎状をなし断面が城壁状をなす外側水返し１１が、周知技術と同様に、屈曲形成されている。また、前記尻部Ｂにおいて外側水返し１１の内側寄りに部位には、第一瓦１を屋根の野地板に固定するための釘（いずれも図示なし）を打ち込む釘穴１４が設けられているとともに、前記外側水返し１１のうちの尻部水返し１１ｂと略平行にその内側に、内側横水返し２２が形成されている。内側横水返し２２の途中には、雨水の浸入抵抗となり易く、一旦浸入した雨水が流下し易い形状の複数個の水切り部１５ａ、１５ｂ、１５ｃが設けられている。
【００１４】
本発明に係る第一瓦１にあっては、さらに、前記差込部Ｄにおいて前記外側水返し１１の一構成要素である差込部水返し１１ａの内側（第一瓦の内方）には、該差込部水返し１１ａと所定の間隔をもって平行な内側縦水返し２１が１条、外側水返し手段１１と略同様の断面形状を以って、連続的叉は断続的に形成されている。なお、内側縦水返し２１を断続的に形成する場合、内側横水返し２２と同様に雨水の浸入抵抗となり易く、一旦浸入した雨水が流下し易い形状の水切り部（図示なし）が内側縦水返し２１の途中に設けられる。
【００１５】
さらに本発明に係る第一瓦１においてその頭部Ａと差込部Ｃとによって形成されるコーナー部Ｇの第二切欠き部１３側の裏面には、図６及び図７に示すように、前記内側縦水返し２１の先端部２１ａが入り込む切欠き凹部１６が形成されている。そして、図８に示すように、第一瓦１の１段上の位置に第二瓦２が筋葺きされたとき、第一瓦１の内側縦水返し２１の上端部（先端部）２１ａと、第二瓦２において前記同様に形成されている切欠き凹部１６とが嵌合可能になっている。
【００１６】
加えて本発明に係る第一瓦１において尻部Ｂ寄りの桟部Ｃ、特にその頂部には舌片状の水遮断壁１７が立設されており、第一瓦１の１段上に第二瓦２が筋葺きされたとき、前記水遮断壁１７は第二瓦２の頭部端面１８の前面を立ちはだかるようになっている。
【００１７】
加えて本発明に係る第一瓦１において尻部Ｂ寄りの桟部Ｃ、特にその頂部には舌片状の水遮断壁１７が立設されており、第一瓦１の１段上に第二瓦２が筋葺きされたとき、前記水遮断壁１７は第二瓦２の頭部端面１８の前面を立ちはだかるようになっている。
【００１８】
他方、内側縦水返し２１は、外側水返し１１のもう一つの要素を構成している差込部水返し１１ａに沿って第一瓦１の内側に長く連続して、叉は間欠的に延びているので、前記差込部水返し１１ａ側に浸入する雨水を遮断する。特に内側縦返し２１の先端部２１ａと、第二瓦２の第二切欠き部１３に近接して設けられている切欠き凹部１６においては、それらが多面的に面接触をしているので、その当接面が雨水の流通を殆どシャットアウトする。そのため、内側縦水返し２１と切欠き凹部１６は、第一瓦１の１段上位に葺かれる第二瓦２と、同段に隣接して葺かれる隣接瓦によって形成される第一瓦１上によって形成される直角面壁部（図１０を参照）に吹き込まれた風雨が外側水返し１１側に浸入するのを阻止する防波堤の作用をする。
【００１９】
本発明は、その根本的技術思想を踏襲して発明の効果を著しく損なわない限度において、前記の実施形態の一部分を変更して実施できる。例えば、内側縦水返し２１とそれに近い部位に形成される内側横水返し２２の一部分と連続的に叉は間欠的に一体化できる。この態様においては、当然、第二瓦２の裏面には、内側横水返し２２の一部分と当接する多面的かつ屈曲した当接面を設けることができる。前記切欠き凹部１６の形状を溝状凹部にすることもできる。
【産業上の利用可能性】
【００２０】
本発明は、外側水返しが必要な筋葺き防災瓦に広く利用できる。
【図面の簡単な説明】
【００２１】
【図１】本発明に係る第一、第二瓦の斜視図である。
【図２】同瓦の上面図である。
【図３】同じく左側面図である。
【図４】右側面図である。
【図５】正面図である。
【図６】前記瓦の裏面を示す斜視図である。
【図７】裏面図である。
【図８】第一瓦と第二瓦とを筋葺きした状態を示す斜視図である。
【図９】周知の瓦の斜視図である。
【図１０】周知の瓦を筋葺きした状態を示す斜視図である。
【図１１】従来技術に係る瓦の斜視図である。
【符号の説明】
【００２２】
１：筋葺き防災瓦（第一瓦）、２：第二瓦、３：第三瓦、１０ａ：横突条、１０ｂ：第一縦突条、１０ｃ：第二縦突条、１０ｄ：コーナー水返し、１１：外側水返し、１１ａ：差込部水返し、１１ｂ：尻部水返し、１２：第一切欠き部、１３：第二切欠き部、１４：釘穴、１５ａ、１５ｂ、１５ｃ：水切り、１６：切欠き凹部、１７：水遮断壁、１８：頭部端面、２１：内側縦水返し、２１ａ：先端部、２２：内側横水返し、Ａ：頭部、Ｂ：尻部、Ｃ：桟部、Ｄ：差込部、Ｅ：谷部、Ｆ、Ｇ：コーナー部、Ｘ：直角面壁部。
【図１】
2006063708.tif 000003
【図２】
2006063708.tif 000004
【図３】
2006063708.tif 000005
【図４】
2006063708.tif 000006
【図５】
2006063708.tif 000007
【図６】
2006063708.tif 000008
【図７】
2006063708.tif 000009
【図８】
2006063708.tif 000010
【図９】
2006063708.tif 000011
【図１０】
2006063708.tif 000012
【図１１】
2006063708.tif 000013